Podtech/llm-jp-corpus-v4-ja_patent huggingface dataset:
(57)【要約】【課題】観賞用水槽の掃除用に使用する、フィルター機能付ポンプである。吸引力調整可能なポンプと濾過及びゴミ除去フィルターを設けることにより、吸引パイプで吸い込んだ糞や食べ残しの餌を手軽に除去できる。水槽の水を循環させることが可能であり、塩分濃度を変更させない。水変え時には、ゴミ除去フィルターに変更、または取り外すことによって、排水作業が楽に行え、効率がよく実施できる。観賞用水槽の掃除において、糞や食べ残しの餌の掃除に手間がかかっていたり、水の交換作業を前提に掃除を行わなければならない。【解決手段】フィルター機能付ポンプを使用することによって、糞や食べ残しの餌を吸引し、濾過フィルターで除去できる。【選択図】図１
2010011833.tif 000002
【特許請求の範囲】
【請求項１】
観賞用水槽の掃除用ポンプとして、吸引力調整可能ポンプと濾過フィルター及びゴミ除去フィルターに交換可能なフィルターボックスを設ける。
【請求項２】
本体（ポンプとフィルターボックス）にフックを設け、水槽に手軽に設置可能にすることにより、利便性を持たせる。
【請求項３】
吸引パイプおよびホースはそれぞれ長さを変更できるよう差し替えタイプとする。
【発明の詳細な説明】
【技術分野】
【０００１】観賞用水槽掃除用に使用する掃除道具であり、糞や食べ残しの餌を吸い込み、濾過フィルターで除去し、水槽内に水を循環させることができる。【０００２】糞や食べ残しの餌を掃除する際に、水槽内で水を循環させることが可能な為、塩分濃度が変化することなく、掃除ができる。【０００３】水槽の水変え時には、濾過フィルターをゴミ除去フィルターに変更、または取り外すことによって、作業が楽にできる。
【背景技術】
【０００４】観賞用水槽を掃除の際に使用する掃除用道具は存在するが、糞や食べ残しの餌を吸い取る方法が難しく、手軽に使用でいない。【０００５】観賞用水槽を掃除の際に使用する掃除用道具は存在するが、フィルター交換が簡単に行え、機器のメンテナンスも簡単に行える道具はない。
【発明の開示】
【発明が解決しようとする課題】
【０００６】フィルター付掃除ポンプで、糞や食べ残しの餌を吸い込み、濾過フィルターで除去し、水槽内に水を循環させることができるため、塩分濃度を変更することなく、掃除ができる。【０００７】フィルター付掃除ポンプで、水槽の水変え時には、濾過フィルターをゴミ除去フィルターに変更、または取り外すことによって、効率よく水変え作業ができる。
【課題を解決するための手段】
【０００８】ポンプは吸い込み力を調整できる仕様とし、水槽底面の石を吸い込まないようにする。【０００９】濾過フィルターやゴミ除去フィルターに変更可能なフィルターボックスを設けることにより、吸い込みパイプで吸い込んだ糞や食べ残しの餌を除去できる。【００１０】水の循環目的と排水目的に使用可能にするよう、排水ホースを水槽内外に自由に設置できる仕様にし、長さも調整可能とする。【００１１】吸引パイプ及びホースは、水槽の大きさに合わせて変更可能な仕様とする。
【発明の効果】
【００１２】観賞用水槽を掃除する際に、水の循環目的の場合の作業と、排水目的の作業の両方が効率よく行える。
【実施例１】
【００１３】図１  矢印Ａ−Ｂ−Ｃ−Ｄ  は循環時の水の流れである。【００１４】図１  矢印Ａ−Ｂ−Ｃ−Ｅ  は排水時の水の流れである。【００１５】図１  ９から吸い込まれた、糞や食べ残しの餌は、８、７を通り、フィルターボックスに送り込まれ、濾過フィルターで除去され、水は１０を通過し、水槽内に戻される。【００１６】図１  ９から吸い込まれた、糞や食べ残しの餌は、８、７を通り、フィルターボックスに送り込まれ、ゴミ取りフィルターがある場合は除去され、水は１０を通過し、水槽外に排出される。
【図面の簡単な説明】
【００１７】
【図１】観賞用水槽にフィルター付掃除ポンプを取り付けた、平面図である。
【符号の説明】
【００１８】  １  ポンプ
２  フィルターボックス
３  フィルターボックスカバー
４  密閉用パッキン
５  フィルター（濾過・ゴミ除去）
６  フック
７  エクステンションホース（吸引）
８  吸引パイプ
９  吸引口
１０  エクステンションホース（循環・排水）
１１  鑑賞用水槽
【図１】
2010011833.tif 000003
(57)【要約】【課題】  切花を長持ちさせる花瓶が望ましく、植物の発根が促進されて丈夫で健康に育つ鉢が望ましく、併せて室内の空気浄化ができるのが望ましい。【解決手段】  鉢や花瓶の内面、外面のいずれかまたは双方に、鉢や花瓶と一体化して剥離しない炭層を設けた。【選択図】図１
2010011836.tif 000002
【特許請求の範囲】
【請求項１】
内面、外面の一方か双方に炭層を有している鉢
【請求項２】
内面、外面の一方か双方に炭層を有している花瓶
【発明の詳細な説明】
【技術分野】
【０００１】  植物用の鉢と花瓶に関する。
【背景技術】
【０００２】  参考文献１に竹を、完全或いは不完全炭化し、着生蘭などの蘭類や各種の観葉植物の育成鉢として使用するものはあるが、一定の形のものを供給することは困難であり、コストが高く汚れる。【０００３】  参考文献２にコーヒー粕を粘土と混合し、所定温度で焼成することにより、保水力を有する植物用鉢等に適した多孔性焼成物を提供することを目的とするものはあるが、炭量を多くすると強度が弱くなり汚れる欠点がある。【０００４】  参考文献３に水やりや他のケアに関して最小限の努力だけが必要となり、自然の生息地に適用されたランが栄える花瓶を提供するものはあるが、欄に限定される。
【参考文献１】
特願２０００−０６８１４０
【参考文献２】
特願平０６−３３１６４１
【参考文献３】
特願２００７−０４９７２１
【０００５】  このように、従来のものは植物種が限定されていたり、汚れる性質が残る欠点があって、既存の鉢や花瓶が利用できて、コストが安く植物全般に使用できるものはなかった。
【発明の開示】
【発明が解決しようとする課題】
【０００６】  本発明は炭の特性を利用した発根が促進できる鉢、切花が長持ちする炭層を有する花瓶や鉢に関するもので、既存の鉢や花瓶に炭粉を塗工して得た、汚れなくてコストを要さない鉢や花瓶に係わる。
【課題を解決するための手段】
【０００７】
【０００８】  炭は水分を水蒸気として排出するため、水分が多いときには吸水して乾燥時に排出するため、土壌の水分調整ができる。【０００９】  炭は空気や水を浄化して腐敗を防止する作用があることは古来より知られている、また遠赤外線効果で細胞を活性化して動植物の代謝を促進する作用がある。【００１０】  炭を一定量以上混入した土譲が根張りを良くすることは周知であるが、炭が細菌の増殖を抑制するのも、試験によって明らかである。【００１１】  このように、炭は植物の成長や健康に役立つことは良く知られていて、例えば土壌の改善に使用されている。【００１２】  更に、炭は表情が上品で気品ある黒であり、高貴で美しく、空気を浄化してくれるため、室内の快適な空間創造にも寄与する。【００１３】  本発明は、炭を鉢や花瓶に接着させて炭層を得ることで、炭と鉢や花瓶を一体化させて、炭が持つ機能を鉢や花瓶に持たせたことが特徴である。【００１４】  請求項１は、鉢の内面、外面の一方か双方に炭層を有することが特徴の鉢であり、例えばエチレン酢酸ビニル樹脂エマルジョン接着剤と炭粉を混合して得た炭塗工液を、鉢の内面、外面に塗布して炭層を得たものなどや、例えば熱可塑性樹脂のポリエチレン、ポリプロピレン、ペット樹脂のいずれか、または複数と炭粉を溶融混合して、既存の鉢に接着して炭層を得たものであり、耐水強度があり鉢と炭層が一体化して剥離しない。【００１５】  内面に鉢と一体化して剥離しない耐水性の炭層を設けて、植物の根の成長を促進するのが特徴であり、鉢の外面に炭層を設ければ、周辺の空気を浄化する。【００１６】  炭層を設ける鉢は既存品でよく、陶磁器製、樹脂製であり、安価な樹脂でも陶磁器製と同様な機能を低コストで得ることができるのが特徴である。【００１７】  請求項２は、例えば内面に花瓶と一体化して剥離しない、耐水性の炭層を有していることが特徴の花瓶で、水を浄化し、細菌の増殖を防いで腐敗を防止して、切り花を長持ちさせるのが特徴である。【００１８】  この時、全内面に炭層を設けると、例えば菊系では活性が過ぎて早く枯れ、切花全般でも活性が過ぎて日持ちをよくすることができないため、底面に炭層を設けて水を浄化するだけのものが望ましい。【００１９】  花瓶の外部に炭層を設ければ、周辺の空気を浄化し、炭の上品な色調の黒色が切花を引き立てる。【００２０】  炭層を設ける花瓶は既存品でよいため低コストであり、陶磁器製、ガラス製、樹脂製である。【００２１】  炭層を形成する炭は植物の炭化物でよく、活性炭、木炭、竹炭などである。
【発明の効果】
【００２２】  本発明の鉢は発根を促進して、植物が健全に発育するためのものであり、花瓶は切花が長持ちするためのものであり、伴に周辺空気を浄化する。
【実施例】
【００２３】  エチレン酢酸ビニル樹脂エマルジョン接着剤と炭粉と水を８：１０：７の重量比で混合して得た炭塗工液を、鉢の内面、外面に０．５ｍｍの厚みに塗布する。【００２４】  エチレン酢酸ビニル樹脂エマルジョン接着剤と炭粉と水を８：１０：６の重量比で混合して得た炭塗工液を、花瓶の内面に１ｍｍの厚みに塗布する。
【図面の簡単な説明】
【００２５】
【図１】は炭層を有する鉢の断面図である。
【図２】は炭層を有する花瓶の断面図である。
【符号の説明】
【００２６】  １．鉢
２．炭層
３．花瓶
【図１】
2010011836.tif 000003
【図２】
2010011836.tif 000004
(57)【要約】【課題】有害成分であるニコチンが含まれず、さらには農薬の心配もなく、健康への影響がほとんどない、安価で製造できる、野ばらの葉を使用した喫煙用の嗜好品とその製造方法を提供する。【解決手段】  収穫した野ばらの葉とスギナの葉を蒸して残留農薬を除去し、その葉を乾燥させ、口当たりをやわらかくするために乾燥させた葉を粉砕し、ニコチンやその他香料のフレーバーを加え、紙巻きたばこと同じ形態にしたことを特徴とする。【特許請求の範囲】
【請求項１】
収穫した野ばらの葉とスギナの葉を蒸して残留農薬を除去し、その葉を乾燥させ、口当たりをやわらかくするために乾燥させた葉を粉砕し、ニコチンやその他香料のフレーバーを加え、紙巻きたばこと同じ形態にした、喫煙用の嗜好品とその製造方法。
【発明の詳細な説明】
【技術分野】
【０００１】  本発明は、乾燥させた野ばらの葉とスギナの葉を原材料とし、ニコチンやその他香料のフレーバーを加えた、現在のタバコ葉を使用した喫煙用の嗜好品の味や香りと何ら変わりのない、安価な喫煙用の嗜好品とその製造方法に関するものである。
【背景技術】
【０００２】  従来、喫煙用の嗜好品としてはタバコの葉を乾燥させたものを喫煙用に加工し、紙巻きたばこ等として製造・販売されている。
また、健康への配慮として原材料にタバコの葉を使用せず、紅茶の茶殻に茶葉・香草・香辛料・果皮等を適宜混入したものを用いたものや、木並びに灌木類及び草植物等を繊維状に加工してタバコの原料とするものが提案されている。（例えば、特許文献１並びに特許文献２参照）
【特許文献１】  特開２０００−３０８４８０
【特許文献２】  特開平９−１６８３８０
【発明の開示】
【発明が解決しようとする課題】
【０００３】  これには次のような欠点があった。
タバコの葉には有害成分であるニコチンが含まれており、健康への影響が指摘されている。また、それに代用するものとして、紅茶の茶殻に茶葉等を適宜混入したものが提案されているが、愛煙家にとっては、タバコの味が変わってしまうことへの抵抗感がある。
木並びに灌木類及び草植物等を繊維状に加工してタバコの原料とするものも提案されているが、これも同様である。【０００４】  また、木を削るなどの工程を経て加工をした場合には、製造コストが高くなり、原材料が安価であっても、結果としては高価なものになってしまうことも否めない。
さらには、自生している植物を使用する場合であっても、農薬等の心配が懸念され、そのまま植物を乾燥させて加工を施した場合、残留農薬の濃度が高くなることも否めない。
本発明は、この欠点を解決させるためになされたものである。
【課題を解決するための手段】
【０００５】  収穫した野ばらの葉とスギナの葉を蒸して残留農薬を除去し、その葉を乾燥させ、口当たりをやわらかくするために乾燥させた葉を粉砕し、ニコチンやその他香料のフレーバーを加え、紙巻きたばこと同じ形態にする。
【発明の効果】
【０００６】  たばこに健康を損なう恐れがある原因の一つは、原材料であるタバコの葉に有害成分のニコチンが含まれているからである。
本発明は、ニコチンがもたらす健康被害を防ぐため、タバコの葉を原材料として使用しないことを特徴とする点において、有意義なものである。
また、野ばらの葉とスギナの葉使用し、ニコチンやその他香料のフレーバーを加えることにより、タバコ葉に近い味や香りを楽しむことができる。さらに、野ばらの葉とスギナの葉を使用することで、土壌に関係なく育成することができ、容易に調達できる利点がある。
また、健康被害を減らすことができるので、医療機関にかからなくなる。それにより、医療機関にとっても現在不足している医師や看護婦を現状のままでも維持することができる。
さらには、喫煙者本人やその家族にとっても、健康被害の心配をしなくてすむので、安心して生活をすることができる。
【発明を実施するための最良の形態】
【０００７】  以下、本発明の実施例について説明する。
収穫した野ばらの葉とスギナの葉を蒸して残留農薬を除去し、その葉を乾燥させ、口当たりをやわらかくするために乾燥させた葉を粉砕し、ニコチンやその他香料のフレーバーを加え、紙巻きたばこと同じ形態にする。
本発明は以上のような構造で、これを使用するときは、通常のタバコと同様に、フィルター部分（フィルターのないものもある）を咥え、先端に火を付ける。
【産業上の利用可能性】
【０００８】  本発明は禁煙が騒がれる中、タバコ製造業者にとっては現在使用している機械が使用でき、健康被害のない商品を提供できるので、重宝するものである。
(57)【要約】【課題】  亀焼き菓子の生地の食感を無添加でふっくらとやわらかくしあげる。【解決手段】  膨脹剤、卵を使わずに、生地を膨らませる方法として、食材の自然の力で膨らむもち米を粉にして配合をする。小麦粉にもち米粉を入れることによりふっくらともちもちしたあんに良く合う食感が得られる。【特許請求の範囲】
【請求項１】
亀焼きのあんを包む生地の配合。
【請求項２】
生地に無農薬もち米粉を配合する。
【発明の詳細な説明】
【技術分野】
【０００１】本発明は、型焼き菓子、亀焼きのあんを包む生地に配合するもち米粉に関する。
【背景技術】
【０００２】従来の菓子などには膨脹剤を入れたをのがある。
【発明の開示】
【発明が解決しようとする課題】
【０００３】  焼き菓子の生地を膨らませるために、卵、イーストやベーキングパウダーや重曹などを配合することがあるが、何も膨脹剤を入れずにやわらかい食感を出す方法。
無添加で安心して食べられるお菓子作り。
【課題を解決するための手段】
【０００４】亀焼きのあんを包む生地にもち米粉を配合する。
【発明の効果】
【０００５】もち米粉と小麦粉の配合の割合によって、もちもちとした食感とぱりっとした食感の両方が味わえる。自然の素材の力で膨らみ無添加の安心感が得られる。
卵も使わないのでアレルギーの心配も無い。
【発明を実施するための最良の形態】
【０００６】もち米粉は無農薬もち米粉特Ａ及び一等米の称号を得たものを使う。
無農薬国産小麦粉との配合の割合は、小麦粉３００ｇに対しもち米粉９０ｇとする。
【実施例】
【０００７】また、配合した粉に水は４２０ｃｃ入れる。
蜂蜜を入れ疲労回復の作用を助ける。隠し味に塩を２ｇ入れる。
【産業上の利用可能性】
【０００８】すべての材料を国内産の有機無農薬、無添加のものを使い安心を食べれる菓子作り。
卵、乳性類も使わずアレルギーの方も食べれる菓子作り。
あん、はちみつ、もち米、小麦の栄養素で健康を促進するお菓作り。
(57)【要約】      （修正有）【課題】高粘度食品を、添加物に頼ることなしに攪拌不足や付着や焦げ付きを防止する攪拌を行い、短時間の加熱攪拌で安定した量産が可能な、構造が簡単な加熱攪拌装置を提供する。【解決手段】加熱釜の底部と同じ形状をした木製の回転攪拌ヘラにより加熱釜とヘラの隙間を極力少なくするとともに、流体の対流を期待した底部の攪拌翼で上昇流を生じさせる攪拌とは逆に、上部の比較的低温の食品を加熱釜の底部に押し付けることで釜底の高温の食品を置換する方法で高粘度流体の攪拌を行う。【選択図】図１
2010011896.tif 000002
【特許請求の範囲】
【請求項１】
下部から加熱をする加熱釜に垂直軸の周囲に回転する回転攪拌ヘラを備えた加熱攪拌装置において、攪拌ヘラの下部形状が加熱釜の底部から側壁のそれと同じ曲線を有し、攪拌ヘラの釜底に対する傾きが回転により攪拌ヘラが高粘度食品を加熱釜の底に押し付ける方向の勾配であることを特徴とする高粘度食品の加熱攪拌装置。
【発明の詳細な説明】
【技術分野】
【０００１】
本発明は、高粘度食品を加熱攪拌するにあたって、焦げ付きを防止するとともに強い粘りをもった食品の製造が可能となる製造装置を提供する。
【背景技術】
【０００２】
葛餅などの食品は、製造工程中、加熱し澱粉を糊化させる際に非常に高粘度となり、攪拌が困難で、加熱むらや加熱不足・過剰になりやすいため均一な製造を行なうことが非常に難しく、高品質の食品製造は熟練者の手作業によることが通常とされ、大量生産する際の問題となっている。
【０００３】
このような澱粉調理食品の製造時の不具合の対策として、特許文献１にあるように添加物を使用して流動性を改善する方法が提案されているが、本来は不必要な添加物を加えることにより食品の食感を損ねる恐れがある。
【０００４】
また、特許文献２では攪拌具とスクレーパとの両者を用い、配置構造に工夫を凝らした釜装置があるが、スクレーパを内壁に沿って複数配置して、スクレーパで対象物を掻き取るとともに、分割したスクレーパの間の空間から対象物を後方へ逃がして混合攪拌と掻き取りとができるように構成するという複雑な構造となっているので重量のある大きな撹拌装置となり、何よりコストが高いものとなってしまう。
【特許文献１】特開２００６−３１４３０２
【特許文献２】特許第３６５２２９７号
【発明の開示】
【発明が解決しようとする課題】
【０００５】
葛餅などの食感に強い粘り気を持つことを特徴とする高粘度食品を製造するための、短時間に加熱攪拌操作を行う装置において、攪拌不足や付着や焦げ付きを防止して攪拌むらを発生させない構造が簡単で安価な加熱攪拌装置を提供する。
【課題を解決するための手段】
【０００６】
加熱釜の底部にある伝熱部分に接する加熱された高粘度食品を、速やかに低温の食品と置換する必要があるが、食品の自らの対流による攪拌が期待できない高粘度の食品にあっては、底部の攪拌翼で上昇流を生じさせるものでは不適当であり、上部の比較的低温の食品を加熱釜の底部に押し付けることで高温の食品を置換することが出来るヘラを使用する。つまり、高温の食品を底部から剥がす通常の攪拌ヘラとは逆勾配の回転ヘラを使用することで可能となる。
【０００７】
加熱釜の上部の比較的低温の食品を加熱釜の底部に押し込むには、ヘラの高さは攪拌する食品の表面近傍まで達している必要があり、回転していない時のヘラの上端は、食品表面から０〜７ｃｍの深さ位置にあることによって、ヘラが回転したときに食品がヘラの上部を溢流してヘラの後ろ側に回り込むことで食品の攪拌がなされる。
【０００８】
ヘラの上端が攪拌すべき食品から突き出ていては溢流が発生せず、全体の攪拌が出来ない。また、７ｃｍ以上の深さがあると、溢流するときの食品の流れが乱流とならないため、高粘度食品は対流による攪拌効果が期待出来ないことから、表層部分の攪拌が不足となる。
【０００９】
攪拌ヘラの円運動により高粘度食品自体も回転運動をするため遠心力を受けるが、高粘度食品にあっては、ヘラが加熱釜の底部から側壁に付着した加熱された高粘度食品を掻き取るとともにヘラの前面に押し込む構造となっていることで、ヘラにより高粘度食品が釜中央に集められる。
【００１０】
このような構造の攪拌ヘラでは、攪拌ヘラの前面では上部の食品を加熱釜の底部に押し込むときに、渦を巻いて食品を底部に巻き込む状態となり同時に釜中央部に集められ、ヘラを食品が乗り越えるときにも渦を巻いてヘラの後部に食品を巻き込むことになり、この運動により攪拌効果があがる。
【００１１】
以上に述べたように、攪拌ヘラはスクレーパのように高温になった釜底の食品を単に剥ぎ取るのではなく、剥ぎ取りながら低温の食品を巻き込んで置換し、逆勾配のヘラを食品が乗り越えるときに乱流を生じさせることで、十分に攪拌された食品を攪拌ヘラの後部に送り込むことで、焦げ付きを防止した加熱攪拌が可能となる。
【発明の効果】
【００１２】
ガスバーナによる高温の加熱であっても、焦げ付きを防止するとともに強い粘りをもった食品の製造が短時間で可能となり、加熱むらからくる加熱釜底部の変形を防止できる。
【発明を実施するための最良の形態】
【００１３】
加熱原は、短時間で強力な熱を与えることが出来るガスバーナとし、加熱釜全体を周方向に均一に加熱出来る円形バーナが適しており、必要に応じ２重環以上の構造であって、夫々がガス量の調整できるコックを有する必要がある。
【００１４】
加熱釜底部及び側壁と攪拌ヘラのクリアランスは３ｍｍ以下、望ましくは２ｍｍ以下である。
【００１５】
前記のクリアランスが小さいと加熱釜の振動とヘラの磨耗を発生させるので、製造する食品の粘度に応じて必要最小限とし、ヘラは磨耗して食品に混入しても影響のない、また加工がし易い木製が適している。
【００１６】
攪拌ヘラの回転数は１０〜６０ＲＰＭの範囲で使用する。１０ＲＰＭ以下では焦げ付きを発生させ、６０ＲＰＭ以上では高粘度食品を中央に集める力より遠心力が勝り、加熱釜からのオーバーフローが発生するので望ましくない。
【実施例】
【００１７】
直径５０ｃｍのアルミ製鍋に葛餅の原料を入れ、下部からは二重環のバーナにより鍋底を均等に加熱しながら、図１に示す攪拌ヘラにより１分間に４０回転の速度で加熱攪拌することで、およそ１５分間で葛餅が出来あがった。
【００１８】
出来あがった葛餅は強いネバリを有し、餅取り粉を使用する必要がなく、２４時間以上離水が生じる不具合が生じなかった。
【産業上の利用可能性】
【００１９】
葛餅、ジーマミ豆腐のように職人の手作業でしか製造できなかった、ネバリの強い、高品質の商品を安定して短時間に生産することが出来る。
【図面の簡単な説明】
【００２０】
【図１】攪拌ヘラの正面図であり、下部形状が加熱釜の底と同じ曲線を有している。
【図２】図１のＡ−Ａ部の拡大断面図であり、回転することで食品を下に押し付ける勾配を有している。
【図１】
2010011896.tif 000003
【図２】
2010011896.tif 000004
(57)【要約】【課題】  トイレットペーパーの巻き終わり端（３）の近辺に有る接着部（４）を引き剥がす際に、トイレットペーパーが破れてしまう事がよく発生する。これは接着部（４）の剥がれている部分（５）が、接着部（４）と平行に近く長くなり、引き剥がしに加えられた力が不均一に分散され、部分的により強い力が加えられるために、その箇所から破れる。【発明の効果】  ロール紙の巻き終わり端（３）の近辺に有る接着部（４）が、巻き終わり端（３）と平行にならない事で、接着部（４）の剥がれている部分（５）の長さが限定されて、引き剥がしに加えられた力が均一になり破れにくくなる。【解決手段】  ロール紙の巻き終わり端（３）の近辺に有る接着部（４）が、巻き終わり端（３）と平行にならない様に配置する。つまり接着部（４）を斜めや波型もしくは三角型にする。【選択図】 図４
2010011944.tif 000002
【特許請求の範囲】
【請求項１】
ロール紙の巻き終わり端（３）の近辺に有る接着部（４）が、巻き終わり端（３）と平行ではなく、またはロール紙の巻き方向と直行しないように配置された事を特徴とするロール紙。
【請求項２】
ロール紙の巻き終わり端（３）の近辺に有る接着部（４）が、波型もしくは三角波型である事を特徴とする、請求項１のロール紙。
【請求項３】
ロール紙の巻き終わり端（３）近辺に有る接着部（４）が、連続する直線状ではなく、断続する破線もしくは鎖線状である事を特徴とする、請求項１ないし請求項２のロール紙。
【発明の詳細な説明】
【技術分野】
【０００１】
本発明は、トイレットペーパーやキッチンペーパー等のロール紙の巻き終わり端（３）の近辺に有る接着部（４）の形状に関する。
【背景技術】
【０００２】
トイレットペーパー等のロール紙を使用開始するにあたり、ロール紙の巻き終わり端（３）の近辺に有る接着部（４）を引き剥がしてやる必要がある。しかしながらロール紙の巻き終わり端（３）を持ち、接着部（４）を引き剥がす時に、おうおうにして途中で破れてしまい、上手く引き剥がせない事が発生する。
【０００３】
本課題を、ロール紙の巻き終わり端（３）を折り返して強度を向上させて、破れない様に構成した物が出願されているが、製造上の複雑さによるコストが高くなるという欠点がある。（例えば特許文献１参照）
【０００４】
【特許文献１】特開2001-17344号公報
【発明の開示】
【発明が解決しようとする課題】
【０００５】
従来品は図１と図２に示すように、ロール紙の巻き終わり端（３）の近辺に有る接着部（４）が、巻き終わり端（３）と平行であり、また巻き終わり端（３）と接着部（４）の間の距離が短い事により、接着部（４）の剥がれている部分（５）が、接着部（４）または巻き終わり端（３）と平行に近くなり、剥がれている部分（５）の距離が長くなり、引き剥がしに加えられた力がその長さに分散されるため、より強い力を加える事が必要になり、その力が接着部（４）の剥がれている部分（５）に均一に加えられていれば良いが、どこかに偏ってより多くの強い力が不均一に加えられると、そのより強い力が加えられた部分から破れてしまう。この状態からまた引き剥がそうとすると、前以上に面倒な作業となり、更に何度も破れてしまう事になる。
【０００６】
すなわち接着部（４）の剥がれている部分（５）が、接着部（４）と平行に近く長くなり、引き剥がしに加えられた力が不均一に分散され、より強い力が加えられるために破れるという事態におちいっている。
【課題を解決するための手段】
【０００７】
ロール紙の巻き終わり端（３）の近辺に有る接着部（４）が、巻き終わり端（３）と平行である事に問題がある事が明白である。従ってロール紙の巻き終わり端（３）の近辺に有る接着部（４）が、巻き終わり端（３）と平行にならない様に配置する事で、問題の解決を図る。つまり接着部（４）を斜めや波型や三角波型もしくは鋸歯状にしてやれば良い。矩形波型も考えられるが、部分的に剥がれている部分（５）の長さが限定されるが、接着部（４）が巻き終わり端（３）と平行である事は変わりなく問題を内在したままである。
【０００８】
更に、ロール紙の巻き終わり端（３）近辺に有る接着部（４）を、連続する直線状ではなく、断続する破線もしくは鎖線状に配置する事でより効果を向上する事が出来る。
【発明の効果】
【０００９】
ロール紙の巻き終わり端（３）の近辺に有る接着部（４）が、巻き終わり端（３）と平行にならない事で、接着部（４）の剥がれている部分（５）の長さが限定されて、引き剥がしに加えられた力が均一になり破れにくくなる。また、ロール紙の巻き終わり端（３）と接着部（４）の距離が長い部分が出来て、巻き終わり端（３）をつまみ易くなる。
【００１０】
更に、ロール紙の巻き終わり端（３）近辺に有る接着部（４）を、連続する直線状ではなく、断続する破線もしくは鎖線状に配置する事で、接着部（４）の剥がれている部分（５）の長さがより限定されて効果を向上する事が出来る。
【発明を実施するための最良の形態】
【００１１】
図７に示す実施例
【実施例１】
【００１２】
図３に示すように、ロール紙の巻き終わり端（３）の近辺に有る接着部（４）を、三角波型に配置している場合、剥がれている部分（５）及び（５’）の長さが限定されて、引き剥がしに加えられた力が均一になり破れにくくなる。
【実施例２】
【００１３】
図５に示すように、ロール紙の巻き終わり端（３）の近辺に有る接着部（４）を、逆山型に配置している場合も、実施例１と同様に剥がれる部分の長さが限定されて、引き剥がしに加えられた力が均一になり破れにくくなる。
【実施例３】
【００１４】
図６に示すように、ロール紙の巻き終わり端（３）の近辺に有る接着部（４）を、波逆に配置している場合も、実施例１と同様に剥がれる部分の長さが限定されて、引き剥がしに加えられた力が均一になり破れにくくなる。
【実施例４】
【００１５】
図７に示すように、ロール紙の巻き終わり端（３）の近辺に有る接着部（４）を、三角波型に配置して、更に接着部（４）を断続する破線の様に配置する事で、実施例１以上に剥れる部分の長さが限定されて、引き剥がしに加えられた力が均一になり更に破れにくくなる。
【図面の簡単な説明】
【００１６】
【図１】従来例の斜視図
【図２】従来例の使用時の斜視図
【図３】実施例１の斜視図
【図４】実施例１の使用時の斜視図
【図５】実施例２の斜視図
【図６】実施例３の斜視図
【図７】最良の実施形態の斜視図
【符号の説明】
【００１７】
１・・・・・・・・・・・ロール紙本体
２・・・・・・・・・・・ロール紙コア部穴
３・・・・・・・・・・・巻き終わり端
４・・・・・・・・・・・接着部
５・・・・・・・・・・・接着部の剥がれている部分
【図１】
2010011944.tif 000003
【図２】
2010011944.tif 000004
【図３】
2010011944.tif 000005
【図４】
2010011944.tif 000006
【図５】
2010011944.tif 000007
【図６】
2010011944.tif 000008
【図７】
2010011944.tif 000009
(57)【要約】      （修正有）【課題】人体の冷え易い足のつま先部分を暖める履物に使用できる指先カイロを提供する。【解決手段】足指４又は手指の付け根の裏側の窪みから足指先４又は手指先に収まる形状の袋１に発熱材を収納する指先カイロで、舌片状取付安定部２をそれぞれ足の親指と人差し指、薬指と小指の間に挟み、舌片状取付安定部２を引っ張り、該指先カイロ１を足指の付け根の裏側の窪みに沿うように配置する。この時、熱的緩衝材が足指側になるように配置する。【選択図】図２
2010011993.tif 000002
【特許請求の範囲】
【請求項１】
足指又は手指の付け根の裏側の窪みから足指先又は手指先に収まる形状の袋に発熱材を収納することを特徴とする指先カイロ。
【請求項２】
前記袋の人体に触れる側に熱的緩衝材があることを特徴とする請求項１記載の指先カイロ。
【請求項３】
前記袋の少なくとも一端に舌片状取付安定部があることを特徴とする請求項１又は２記載の指先カイロ。
【発明の詳細な説明】
【技術分野】
【０００１】
本発明は、例えば足先を暖める履物、手を暖める手袋に使用できる指先カイロに関する。
【背景技術】
【０００２】
従来からの技術を一緒にして、人体の冷え易い足のつま先部分を暖める即席カイロが市販され、広く利用されている。
【特許文献１】特開平９−２８５４８０号
【特許文献２】登録実用新案第３０３５７８８号
【発明の開示】
【発明が解決しようとする課題】
【０００３】
従来からの履物は、足底を保温する製品はありますが人体の冷え易い足のつま先部分を暖めるのに機能していない。
【課題を解決するための手段】
【０００４】
本発明は、足指の付け根の裏側に配置して足先を覆う履物と併用可能で、該指先カイロ１が足先を暖めこれにより上記課題を解決するものである。
【発明の効果】
【０００５】
本発明に係る指先カイロ１は、足指の付け根の裏側に収まる構造なので、該指先カイロ１使用中でも日常の履物が容易に履け、しかも図３に示すように靴下５の中に配置するので周囲環境が氷点下になりにくく寒冷地での実用性にも優れたものである。足袋の中に配置することで草履、下駄使用時の足のつま先部分を暖めるのに機能する。足の親指と人差し指の間に図２の舌片状取付安定部２を挟み、次いで足指を広げると指先の毛細血管が開き血行が促進され、冷え性対策はもちろん、むくみにも効果的で、不織布を用いると汗の吸収性も向上する。該指先カイロ１が足裏のツボや反射区を刺激して足裏健康法としても機能する。  
【発明を実施するための最良の形態】
【０００６】
図１に示す舌片状取付安定部２をそれぞれ足の親指と人差し指、薬指と小指の間に挟み、舌片状取付安定部２を引っ張り図２に示すように該指先カイロ１を足指の付け根の裏側の窪みに沿うように配置する。この時、熱的緩衝材３が図３に示すように足指側になるように配置する。熱的緩衝材３として例えば不織布、綿布、合成繊維、ゲル、不撚紙を用いることができる。該指先カイロ１の取付安定部材として粘着材を用いることができる。
【実施例１】
【０００７】
本発明の指先カイロは、即席カイロを利用することで安価に利用出来る。つま先が冷え易い年配の方や夜の勉強に励む学生、屋外での作業者、台所仕事の主婦、寒冷地での作業者、足の冷えでお困りの方の足先の暖房に利用することができる。
【０００８】
本発明は履物に適応した例を示したが、履物以外に例えば、手を暖める手袋、患部を暖めるサポーターやベルトに使用することができる。
【図面の簡単な説明】
【０００９】
【図１】本発明に係る指先カイロの概略図である。
【図２】足に装着した状態を示す用具切欠図（足の裏側から見た図）である。
【図３】足に装着した状態を示す側面図（ＡＡ断面図）である。
【符号の説明】
【００１０】
１    指先カイロ
２    舌片状取付安定部
３    熱的緩衝材
４    足指
５    靴下
６    履物の足先甲部材
７    履物の底部
【図１】
2010011993.tif 000003
【図２】
2010011993.tif 000004
【図３】
2010011993.tif 000005
(57)【要約】【課題】基台の側板部を平面状にした場合でも強度を確保して運搬時の破損を防止するとともに、配線作業時に基台の側板部の端縁に手や腕が当たっても痛い思いをすることがなく、怪我を防止することができる住宅用分電盤を提供する。【解決手段】住宅用分電盤１は、ブレーカ５，６が取り付けられる背板部２ａの周囲に側板部２ｂを設けた基台２と、基台２を覆うカバー３とでケース４を構成して成り、基台２の側板部２ｂに適宜間隔で端縁から背板部にかけてリブ２ｃを垂設するとともに、側板部２ｂの端縁を内側方向に張出させて幅広部２ｄを設ける。【選択図】図３
2010011666.tif 000002
【特許請求の範囲】
【請求項１】
ブレーカが取り付けられる背板部の周囲に側板部を設けた基台と、該基台を覆うカバーとでケースを構成して成る住宅用分電盤において、前記基台の側板部の端縁内側に幅広部を設けたことを特徴とする住宅用分電盤。
【発明の詳細な説明】
【技術分野】
【０００１】
本発明は、住宅用分電盤のケースの構造に関する。
【背景技術】
【０００２】
住宅用分電盤のケースはブレーカが取り付けられる基台と、ブレーカの操作ハンドルを露出させて基台を覆うカバーとで構成している。基台はブレーカが取り付けられる背板部と、背板部の周囲に立設された側板部とで形成され、樹脂製の住宅用分電盤は建物の壁面に設置する際に露出設置と半埋め込み設置を選択できる構造になっているため、側板部は奥行き方向の中間部に段部が設けられている。また、側板部は段部より背面側の側板部から背板部にかけてリブが適宜間隔で垂設され、段部とリブとで側板部の強度を確保している（例えば、特許文献１参照。）。
【０００３】
【特許文献１】特開２００４−７８６２号公報
【発明の開示】
【発明が解決しようとする課題】
【０００４】
このように、従来の住宅用分電盤は基台の側板部に段部が形成されて半埋め込み設置ができるようになっているが、半埋め込み設置されることは少なく、露出設置されることが格段に多い。しかしながら、露出設置されると側板部の段部が露出するため、外観が悪いという欠点がある。そこで、外観を向上するために段部を取り除き、側板部を平面状に形成すると側板部の強度が確保できず、運搬時に破損しやすいという問題があった。また、側板部の端縁の厚みがないため、配線作業時などに手や腕が当たって痛い思いをしたり、怪我をする虞があった。
【課題を解決するための手段】
【０００５】
本発明は、ブレーカが取り付けられる背板部の周囲に側板部を設けた基台と、基台を覆うカバーとでケースを構成して成る住宅用分電盤において、基台の側板部の端縁内側に幅広部を設けたことを特徴とする。
【発明の効果】
【０００６】
本発明によれば、基台の側板部を平面状に形成した場合でも強度を確保することができ、運搬時の破損を防止することができる。また、配線作業時に基台の側板部の端縁に手や腕が当たっても痛い思いをすることがなく、怪我を防止するという効果がある。
【発明を実施するための最良の形態】
【０００７】
住宅用分電盤は、ブレーカが取り付けられる背板部の周囲に側板部を設けた基台と、基台を覆うカバーとでケースを構成して成り、基台の側板部の内側に適宜間隔で端縁から背板部にかけてリブを垂設するとともに、側板部の端縁を内側方向に張出させて幅広部を設ける。
【実施例１】
【０００８】
本発明に係る住宅用分電盤の実施例１を図１〜図５の添付図面に基づいて説明する。
【０００９】
住宅用分電盤１は、合成樹脂材料により基台２とカバー３とで横長の箱状にケース４を形成して成り、基台２に主幹ブレーカ５や分岐ブレーカ６を取り付け、カバー３から操作ハンドル５ａ，６ａを露出させて操作可能に収容している。また、カバー３の前面には操作ハンドル５ａ，６ａを覆うように扉体７が開閉自在に設けられている。
【００１０】
基台２はブレーカ５，６が取り付けられる背板部２ａの全周に亘って側板部２ｂが形成され、側板部２ｂは外側面が平面状に形成され、内側面に適宜間隔で端縁から背板部２ａにかけてリブ２ｃが垂設されている。また、上下の側板部２ｂの端縁を内側方向に張出させて幅広部２ｄが形成されている。
【００１１】
なお、基台２の側板部２ｂの幅広部２ｄを樹脂により肉厚にすると成形時にヒケが発生するため、適宜間隔で肉抜き部２ｅを形成すると良い。また、基台２の側板部２ｂの幅広部２ｄは、例えば、図５に示すように側板部２ｂの端縁を内側方向にコ字状に折り返して幅広部２ｄを形成しても良い。
【００１２】
こうして形成された住宅用分電盤１は基台２の背板部２ａを建物の壁面に当接させてネジにより締め付け固定し、基台２の前面にカバー３を装着して設置する。
【００１３】
このように、基台２の上下の側板部２ｂの端縁の内側に幅広部２ｄを形成したので、側板部２ｂを平面状にしても強度を確保することができ、運搬時や施工作業時などに破損することがない。また、主幹ブレーカ５及び分岐ブレーカ６に配線する際に基台２の側板部２ｂの端縁に手や腕が当たっても痛い思いをすることがなく、怪我を防止することができる。
【００１４】
尚、本実施例においては基台２が横長のため、強度を必要とする上下の側板部２ｂにのみ幅広部２ｄを設けているが、全周に設けても良い。
【図面の簡単な説明】
【００１５】
【図１】本発明に係る住宅用分電盤を示し、（ａ）は正面図、（ｂ）は底面図、（ｃ）は右側面図である。
【図２】本発明に係る住宅用分電盤の扉体を取り外した状態の正面図である。
【図３】本発明に係る住宅用分電盤のカバーを取り外した状態の基台の正面図である。
【図４】本発明に係る住宅用分電盤の基台の部分断面図である。
【図５】本発明に係る住宅用分電盤の変形実施例を表す基台の部分断面図である。
【符号の説明】
【００１６】
１    住宅用分電盤
２    基台
２ａ    背板部
２ｂ    側板部
２ｃ    リブ
２ｄ    幅広部
３    カバー
４    ケース
【図１】
2010011666.tif 000003
【図２】
2010011666.tif 000004
【図３】
2010011666.tif 000005
【図４】
2010011666.tif 000006
【図５】
2010011666.tif 000007
(57)【要約】【課題】気密パッキンを貼る部分を少なくして作業を軽減することができる住宅用分電盤を提供する。【解決手段】住宅用分電盤１は、ケース４の前面を覆う扉体８の下端縁及び左右端縁と対向する部分及び扉体８の裏面上部に上端縁と平行に突設したリブ１２と対向する部分に溝１０を設け、溝１０に通気孔１３を設ける。通常は、溝１０の通気孔１３によりケース４の内部の温度上昇を防ぎ、住宅用分電盤１の気密性を高くしたい場合は溝１０に気密パッキン１４を貼着する。【選択図】図７
2010011663.tif 000002
【特許請求の範囲】
【請求項１】
ブレーカを収容する箱状のケースの前面に扉体を開閉自在に設け、該扉体の裏面の上部に突設されたリブと、前記扉体の下端縁及び左右端縁とに対向する溝を前記ケースの前面に設けた住宅用分電盤において、前記溝に通気孔を設けたことを特徴とする住宅用分電盤。
【発明の詳細な説明】
【技術分野】
【０００１】
本発明は、ブレーカを収容するケースの前面に扉体を設けて成る住宅用分電盤に関する。
【背景技術】
【０００２】
住宅用分電盤は基台とカバーとで成る箱状のケースにブレーカを収容し、外観を良くするためにケースの前面に扉体が開閉自在に設けられたものがある。住宅用分電盤は、通電によってブレーカが発熱してケースの内部温度が高くなるため、ブレーカの操作ハンドルを操作可能に露出させるための操作孔から放熱して自然冷却するようになっているが、扉体を設けた場合は冷却性能が低下するため、ケースの扉体を収納する凹部に通気孔を設けて冷却性能を向上させている（例えば、特許文献１参照。）。
【０００３】
また、住宅用分電盤は住宅の外壁に面する壁に取り付ける際に基台に形成された通線孔を通してカバーの通気孔や操作孔から外気が室内に入ってしまうため、気密性を高くしたい場合がある。気密性を高くするためには通気孔を扉体の裏側から気密パッキンで塞ぐが、これではカバーの操作孔から空気が漏れるため気密性能が低い。そこで、ケースの前面周縁の扉体の端縁に対向する部分に溝を設け、溝に気密パッキンを取り付けて扉体とケースとの隙間を無くすことで気密性を向上させていた（例えば、特許文献２参照。）。
【０００４】
【特許文献１】特開平１０−１２６９０８号公報
【特許文献２】特開２００１−３３９８１７号公報
【発明の開示】
【発明が解決しようとする課題】
【０００５】
このように住宅用分電盤はケースの通気孔を気密パッキンで塞ぐとともにケースの溝に気密パッキンを設けることで気密性を確保するため、気密パッキンを貼る部分が多く、作業に手間がかかるという欠点があった。
【課題を解決するための手段】
【０００６】
本発明は、ブレーカを収容する箱状のケースの前面に扉体を開閉自在に設け、扉体の裏面の上端縁近傍に突設されたリブと、扉体の下端縁及び左右端縁とに対向する溝をケースの前面に設けた住宅用分電盤において、溝に通気孔を設けたことを特徴とする。
【発明の効果】
【０００７】
本発明によれば、ケースの溝に気密パッキンを張るだけで気密性を確保することができ、気密パッキンを貼る部分が少なくなって作業を軽減することができるという効果がある。
【発明を実施するための最良の形態】
【０００８】
住宅用分電盤は、ケースの前面を覆う扉体の下端縁及び左右端縁と対向する部分及び扉体裏面上部に上端縁と平行に突設したリブと対向する部分に溝を設け、溝に通気孔を設ける。通常は、溝の通気孔によりケース内部の温度上昇を防ぎ、住宅用分電盤の気密性を高くしたい場合は溝に気密パッキンを貼着する。
【実施例１】
【０００９】
本発明に係る住宅用分電盤の実施例１を図１〜図８の添付図面に基づいて説明する。
【００１０】
住宅用分電盤１は、基台２とカバー３とで成る箱状のケース４にブレーカ５を収容している。このケース４はカバー３にブレーカ５の操作ハンドル６を操作可能に露出するための操作孔７が設けられ、また、露出した操作ハンドル６を覆うようにカバー３の前面に扉体８が蝶番９によって開閉自在に設けられている。
【００１１】
扉体８は上下左右端縁を背面側に張出した形状に形成され、カバー３の前面で扉体８の左右端縁と下端縁と対向する部分に溝１０が形成されている。また、扉体８の上端縁と平行に裏面の上部に突設されたリブ１２に対向する部分にも溝１０が形成され、扉体８の上端縁と対向する部分は蝶番９が設けられるため、溝１０よりも深くて幅が広い凹部１１が形成されている。
【００１２】
そして、扉体８の上部に突設されたリブと対向する溝１０の下面に通気孔１３が形成され、扉体８の下端縁と対向する溝１０の上面にも通気孔１３が形成されている。通気孔１３は複数の小孔が連設して構成されている。
【００１３】
このように形成された住宅用分電盤１は、通常の使用では扉体８を閉めた状態でも通気孔１３から放熱してケース４内の温度上昇を防止する。また、住宅用分電盤１を住宅の外壁に面する壁に取り付ける場合などで室内に外気が入らないように気密性を高くしたい場合はカバー３の溝１０に気密パッキン１４を貼着する。これにより、通気孔１３を気密パッキン１４で塞ぐとともに、扉体８を閉めた際に、扉体８の左右端縁、下端縁、及びリブ１２が溝１０の気密パッキン１４に密着してカバー３の操作孔７から漏れる空気を遮断するので気密性を確保することができる。
【００１４】
このように、溝１０に気密パッキン１４を貼着するだけで通気孔１３を塞いで気密性を確保できるため、従来の住宅用分電盤のように別途通気孔に気密パッキンを貼着する必要がなく、作業を軽減することができる。
【００１５】
尚、本実施例において、扉体８の上部に突設されたリブと対向する溝１０と、扉体８の下端縁と対向する溝１０だけに通気孔１３を形成したが、扉体の左右端縁と対向する部分の溝１０に通気孔１３を形成しても良い。
【図面の簡単な説明】
【００１６】
【図１】本発明に係る住宅用分電盤の正面図である。
【図２】本発明に係る住宅用分電盤の扉体を取り外した状態の正面図である。
【図３】本発明に係る住宅用分電盤の内部に収容した機器を省略した断面図である。
【図４】本発明に係る住宅用分電盤のカバー上部及び扉体上部の部分断面図である。
【図５】本発明に係る住宅用分電盤のカバー下部及び扉体下部の部分断面図である。
【図６】本発明に係る住宅用分電盤のケースの溝に気密パッキンを貼着した状態を示し、扉体を取り外した状態の正面図である。
【図７】本発明に係る住宅用分電盤に気密パッキンを貼着した状態のカバー上部及び扉体上部の部分断面図である。
【図８】本発明に係る住宅用分電盤に気密パッキンを貼着した状態のカバー上部及び扉体上部の部分断面図である。
【符号の説明】
【００１７】
１    住宅用分電盤
３    カバー
４    ケース
８    扉体
１０    溝
１２    リブ
１３    通気孔
１４    気密パッキン
【図１】
2010011663.tif 000003
【図２】
2010011663.tif 000004
【図３】
2010011663.tif 000005
【図４】
2010011663.tif 000006
【図５】
2010011663.tif 000007
【図６】
2010011663.tif 000008
【図７】
2010011663.tif 000009
【図８】
2010011663.tif 000010
(57)【要約】【課題】ケースの通気性が良く、排熱性能が高い住宅用分電盤を提供する。【解決手段】住宅用分電盤１は、ブレーカ５，６を収容するケース４の前面に開閉自在に設けられた扉体８を閉塞したときに扉体８の開放端８ａと閉塞端８ｂの両端とケース４との間に空気が流れるように隙間１０，１１を設け、扉体８の開放端８ａとケース４との間は扉体８の開放端８ａをケース４から浮かせて空気が上下方向に流れるように扉体８の開放方向に隙間１０を形成する。【選択図】図３
2010011665.tif 000002
【特許請求の範囲】
【請求項１】
ブレーカを収容する箱状のケースの前面に扉体を開閉自在に設けた住宅用分電盤において、前記扉体の閉塞時に前記扉体の開放端及び閉塞端の両端と前記ケースとの間に通気のための隙間を設けたことを特徴とする住宅用分電盤。
【請求項２】
前記扉体の閉塞時に前記扉体の開放端を前記ケースから浮かせて前記扉体の開放方向に隙間を設けたことを特徴とする請求項１に記載の住宅用分電盤。
【請求項３】
前記扉体の開放端と閉塞端の隙間の近傍であって、前記扉体の裏側部分の前記ケースに通気孔を形成したことを特徴とする請求項１又は請求項２に記載の住宅用分電盤。
【発明の詳細な説明】
【技術分野】
【０００１】
本発明は、ブレーカを収容するケースの前面に扉体を設けて成る住宅用分電盤に関する。
【背景技術】
【０００２】
住宅用分電盤は基台とカバーとで箱状のケースにブレーカを収容し、カバーの操作孔から露出されたブレーカの操作ハンドルを覆うようにカバーの前面に扉体が開閉自在に設けられている。扉体は上部の閉塞端が蝶番によってケースに蝶着され、下部の開放端はケースの係止手段に係止するようになっている。住宅用分電盤は、通電によってブレーカが発熱して内部温度が高くなるため、操作孔から排熱して自然冷却するようになっているが、扉体があると排熱性能が低いため、扉体が収納される凹部に通気孔を設けて排熱性能を向上させていた（例えば、特許文献１参照。）。
【０００３】
【特許文献１】特開平１０−１２６９０８号公報
【発明の開示】
【発明が解決しようとする課題】
【０００４】
しかしながら、従来の住宅用分電盤は扉体に通気のための孔や開口がなく、扉体を閉塞したときに扉体とケースとの間の隙間も僅かしかないため、通気性が悪かった。このため、扉体の内側に通気孔から排出された熱がこもりやすく、また、住宅用分電盤の外から冷たい空気も流入しにくいので排熱性能が低いという欠点があった。
【課題を解決するための手段】
【０００５】
本発明は、請求項１に記載の発明によれば、ブレーカを収容する箱状のケースの前面に扉体を開閉自在に設けた住宅用分電盤において、扉体の閉塞時に扉体の開放端及び閉塞端の両端とケースとの間に通気のための隙間を設けたことを特徴とする。
【０００６】
請求項２に記載の発明によれば、請求項１に記載の住宅用分電盤において、扉体の閉塞時に扉体の開放端をケースから浮かせて扉体の開放方向に隙間を設けたことを特徴とする。
【０００７】
請求項３に記載の発明によれば、請求項１又は請求項２に記載の住宅用分電盤において、扉体の開放端と閉塞端の隙間の近傍であって、扉体の裏側部分のケースに通気孔を形成したことを特徴とする。
【発明の効果】
【０００８】
請求項１に記載の発明によれば、ケースの通気性が良くなり、排熱性能が向上するという効果がある。
【０００９】
請求項２に記載の発明によれば、請求項１に記載の発明の効果に加えて、住宅用分電盤の外の冷たい空気がケースの下側からケースの前面にまっすぐ流れ込むため、ケースの通気性が非常に良く、排熱性能が向上するという効果がある。
【００１０】
請求項３に記載の発明によれば、請求項１又は請求項２に記載の発明の効果に加えて、住宅用分電盤の外の冷たい空気が扉体の開放端の隙間から通気孔を通してケース内に流れ込み、ケース内の暖かい空気が通気孔と扉体の閉塞端の隙間とを流れて住宅用分電盤の外に排出されるため、ケースの通気性が非常に良く、更に排熱性能が向上するという効果がある。
【発明を実施するための最良の形態】
【００１１】
住宅用分電盤は、ブレーカを収容するケースの前面に開閉自在に設けられた扉体を閉塞したときに扉体の開放端と閉塞端の両端とケースとの間に通気のための隙間を設け、扉体の開放端とケースとの間は扉体の開放端をケースから浮かせて空気が上下方向に流れるように扉体の開放方向に隙間を形成する。
【実施例１】
【００１２】
本発明に係る住宅用分電盤の実施例１を図１〜図５の添付図面に基づいて説明する。
【００１３】
住宅用分電盤１は、基台２とカバー３とで成る箱状のケース４に主幹ブレーカ５や分岐ブレーカ６を収容している。
【００１４】
カバー３は前面に主幹ブレーカ５の操作ハンドル５ａや分岐ブレーカ６の操作ハンドル６ａを操作可能に露出するための操作孔３ａが形成され、カバー３の上部に蝶番７が設けられてカバー３の前面を覆うように扉体８が開閉自在に蝶着されるとともに、カバー３の下部に係止手段９が設けられて扉体８を閉塞したときに係止するようになっている。
【００１５】
扉体８は閉塞したときに扉体８の下部の開放端８ａ及び上部の閉塞端８ｂの両端とケース４との間に通気のための隙間１０，１１が設けられている。扉体８の開放端８ａとケース４との間は扉体８の開放端８ａをケース４から浮かせて空気が上下方向に流れるように扉体８の開放方向に隙間１０が設けられている。また、扉体８の開放端８ａと閉塞端８ｂの隙間１０，１１の近傍であって扉体８の裏側部分のカバー３に複数の小孔から成る通気孔１２が隙間１０，１１に向けて形成されている。なお、隙間１０，１１は通気孔１２より大きく形成するのが好ましい。
【００１６】
このように扉体８の上下に隙間１０，１１を設けることで、ケース４の下側の隙間１０から冷たい空気が流入し、カバー３の通気孔１２及び操作孔３ａを通してケース４内に空気が流れ込み、ブレーカ５，６の発熱により暖められた暖かい空気がカバー３の通気孔１２及び操作孔３ａから流れ出て、ケース４の上側の隙間１１から排出されるため、通気性が良く、排熱性能が高い。また、扉体８の開放端８ａとケース４との間は扉体８の開放方向に隙間１０が設けられ、更に隙間１０の奥側に通気孔１２が形成されているため、空気がケース４の下側からケース４の中に真っ直ぐ流れ込むので通気性が非常に良い。
【図面の簡単な説明】
【００１７】
【図１】本発明に係る住宅用分電盤を示す正面図である。
【図２】本発明に係る住宅用分電盤の扉体を外した状態の正面図である。
【図３】本発明に係る住宅用分電盤を示す右側面図である。
【図４】本発明に係る住宅用分電盤を示す底面図である。
【図５】図４のＡ部拡大図である。
【符号の説明】
【００１８】
１    住宅用分電盤
２    基台
３    カバー
４    ケース
５    主幹ブレーカ
６    分岐ブレーカ
８    扉体
１０    隙間
１１    隙間
１２    通気孔
【図１】
2010011665.tif 000003
【図２】
2010011665.tif 000004
【図３】
2010011665.tif 000005
【図４】
2010011665.tif 000006
【図５】
2010011665.tif 000007